(57)【要約】【課題】携帯電灯の取っ手部とランプヘッド部が回転可能または回転した後に安定的に位置決められ、携帯電灯として用いることができるとともに、卓上灯として用いることができる灯具を提供する。【解決手段】本体部１と、該本体部に取り付けられ、右取っ手ケース２１と左取っ手ケース２２と取っ手回転位置決め手段とを含む取っ手部と、ランプヘッド部３とを備える引上げ式携帯電灯であって、取っ手回転位置決め手段は、右取っ手ケース２１に設けられた第１の円盤２３１と、第１の円盤２３１に対応して左取っ手ケース２２の末端に設けられた第２の円盤２３２と、第１のグレード板２３３と、本体部に設けられた第３の円盤２３４と、弾性部材と、固定手段とを備える。【選択図】図１
0003134074.tif 000002
【実用新案登録請求の範囲】
【請求項１】
本体部と、前記本体部に取り付けられ、右取っ手ケースと左取っ手ケースを含む取っ手部と、ランプヘッド部とを備える引上げ式携帯電灯であって、
前記取っ手部は、取っ手回転位置決め手段をさらに備え、前記取っ手回転位置決め手段は、前記左取っ手ケースと右取っ手ケース両者のうちの一方に設けられた第１の円盤と、前記第１の円盤に対応して前記左取っ手ケースと右取っ手ケース両者のうちの他方に設けられた第２の円盤と、第１のグレード板と、前記第２の円盤に対応して前記本体部に設けられた第３の円盤と、弾性部材と、固定手段とを有し、
前記第１の円盤には第１の穿孔が開設され、
前記第２の円盤にはこの挿し柱に対応して第２の穿孔が開設され、前記第２の穿孔の周囲にはスリーブが突設され、前記第２の円盤には間隔をおいていくつかの凹溝が設けられ、
前記第１のグレード板は底板を有し、前記底板において、前記スリーブに対応して第１の貫通穴が開設され、前記底板において、前記いくつかの凹溝に対応していくつかの第１の係止ブロックが突設され、前記第１のグレード板は第２の円盤に実装され、前記スリーブは前記第１の貫通穴を挿して伸び、前記いくつかの第１の係止ブロックは前記いくつかの凹溝に対応して挟まれ、
前記第３の円盤には前記スリーブに対応して第２の貫通穴を開設され、
前記弾性部材は前記第３の円盤と前記第１のグレード板の底板との間に取り付けられ、
前記固定手段は、前記第１の穿孔、第２の穿孔、スリーブ、第１の貫通穴、弾性部材、および第２の貫通穴を通して、前記取っ手部を前記本体部に回転可能に接続することを特徴とする引上げ式携帯電灯。
【請求項２】
前記第１の円盤は前記右取っ手ケースの末端に設けられ、前記第２の円盤は前記左取っ手ケースの末端に設けられ、前記第２の円盤において、前記スリーブの周囲に間隔をおいていくつかの凸筋を設け、前記いくつかの凹溝は前記いくつかの凸筋に形成されることを特徴とする請求項１に記載の引上げ式携帯電灯。
【請求項３】
前記ランプヘッド部は、ランプヘッド台と、ランプヘッド回転位置決め手段とを備え、前記ランプヘッド台は、前記左取っ手ケースと右取っ手ケースとの間に回転可能に実装され、前記ランプヘッド回転位置決め手段は、前記ランプヘッド台の側壁において対向する位置に開設された二つの第３の貫通穴と、前記左取っ手ケースと右取っ手ケース両者のうちの一方に設けられた枢支軸と、前記左取っ手ケースと右取っ手ケース両者のうちの他方に設けられた係止ギアーと、第２のグレード板とを含み、前記枢支軸は、前記ランプヘッド台の第３の貫通穴から前記ランプヘッド台の内部へ伸び入れて回転可能に接続され、前記係止ギアーの側壁にはいくつかの係止溝が設けられ、前記第２のグレード板は、前記ランプヘッド台の他方の第３の貫通穴の近傍に固定的に実装され、前記第２のグレード板は、底部と、上部と、第１の係止部と、第２の係止部とを含み、前記第１の係止部はＷ形の弾性体であり、その上下両端は前記底部と上部の同一側の端部の間にそれぞれ接続され、前記第１の係止部の中央部には内に向かって第２の係止ブロックが突設され、前記第２の係止部はＷ形の弾性体であり、その上下両端は前記底部と上部の他方の一側の端部の間にそれぞれ接続され、前記第２の係止部の中部には内に向かって第３の係止ブロックが突設され、前記係止ギアーは、前記ランプヘッド台の第３の貫通穴を通してから、前記第２のグレード板の第１の係止部と第２の係止部との間に挟まれ、前記第２の係止ブロックおよび第３の係止ブロックは、係止ギアーの対向する両側にそれぞれ係止され、且つ、対応する係止溝にそれぞれ挟まれることを特徴とする請求項１に記載の引上げ式携帯電灯。
【請求項４】
前記枢支軸は前記右取っ手ケースの先端に設けられ、前記係止ギアーは前記左取っ手ケースの先端に設けられ、前記係止ギアーの側壁にはいくつかのロック歯が突設され、前記いくつかの係止溝は前記いくつかのロック歯の間に形成されることを特徴とする請求項３に記載の引上げ式携帯電灯。
【請求項５】
前記固定手段は、リベット柱とリベット釘とを備え、前記リベット柱は、前記第１の穿孔、第２の穿孔、スリーブ、第１の貫通穴、弾性部材を通し、前記リベット釘は、前記第２の貫通穴を通しながら前記リベット柱とリベッティングされることにより、前記右取っ手ケースと左取っ手ケースを前記本体部に接続させ、前記弾性部材はばねであることを特徴とする請求項１に記載の引上げ式携帯電灯。
【考案の詳細な説明】
【技術分野】
【０００１】
本考案は、引上げ式携帯電灯に関し、特に、携帯電灯として用いてもよく、卓上灯として用いてもよい灯具に関する。
【背景技術】
【０００２】
従来の持ち運び可能な携帯電灯として、多くの場合にその取っ手部とランプヘッド部を回転させることができない。或いは、回転可能であっても、ある角度に位置決めることができなくい。そのため、使用が非常に不便であり、特に、使用性能が非常に単一であり、環境の変化によって卓上灯として用いることができなかった。
【考案の開示】
【考案が解決しようとする課題】
【０００３】
本考案は、従来の携帯電灯の取っ手部とランプヘッド部が回転不能または回転した後に安定的に位置決められなくて、卓上灯として用いることができない課題を解決するものである。これによって、携帯電灯として用いることもでき、卓上灯として用いることもできる灯具を提供することである。
【課題を解決するための手段】
【０００４】
上記した課題を解決するために、本考案は、本体部と、前記本体部に取り付けられ、右取っ手ケースと、左取っ手ケースと、取っ手回転位置決め手段とを含む取っ手部と、ランプヘッド部とを備える引上げ式携帯電灯であって、前記取っ手回転位置決め手段は、前記左取っ手ケースと右取っ手ケース両者のうちの一方に設けられた第１の円盤と、前記第１の円盤に対応して前記左取っ手ケースと右取っ手ケース両者のうちの他方に設けられた第２の円盤と、第１のグレード板と、前記第２の円盤に対応して前記本体部に設けられた第３の円盤と、弾性部材と、固定手段とを含み、前記第１の円盤には第１の穿孔が開設され、前記第２の円盤にはこの挿し柱に対応して第２の穿孔が開設され、前記第２の穿孔の周囲にはスリーブが突設され、前記第２の円盤には間隔をおいていくつかの凹溝が設けられ、前記第１のグレード板は底板を有し、前記底板において、前記スリーブに対応して第１の貫通穴が設けられ、前記底板において、前記いくつかの凹溝に対応していくつかの第１の係止ブロックを突設され、前記第１のグレード板は第２の円盤に実装され、前記スリーブは前記第１の貫通穴を通して伸び、前記いくつかの第１の係止ブロックは前記いくつかの凹溝に対応して挟まれ、前記第３の円盤には前記スリーブに対応して第２の貫通穴を開設され、前記弾性部材は前記第３の円盤と前記第１のグレード板の底板との間に取り付けられ、前記固定手段は、前記第１の穿孔、第２の穿孔、スリーブ、第１の貫通穴、弾性部材、および第２の貫通穴を通して、前記取っ手部を前記本体部に回転可能に接続する引上げ式携帯電灯を提供する。
【０００５】
（考案の効果）
本考案によれば、以下のような利点がある。
１、取っ手部は、取っ手部の固定手段のリベット柱とリベット釘との配合によって本体部に取り付けられ、ばねは、当該いくつかの第１の係止ブロックが凹溝に対応して挟まれるように、第１のグレード板を右側に付勢させ、第２の円盤のいくつかの凹溝と第１のグレード板のいくつかの第１の係止ブロックとが配合され、取っ手部を９０度のうちのいずれか角度に回転させることができるとともに、取っ手部を９０度のうちのいずれか角度に安定的に位置決めることができる。
２、ランプヘッド部の枢支軸および係止ギアーは、ランプヘッド台の両側における第３の貫通穴に挿入されて固定的に接続されるため、ランプヘッド部は、左取っ手ケースと右取っ手ケースとの間に取り付けられ、第２のグレード板はランプヘッド台内に固定され、その第１の係止部と、第２の係止部の第２の係止ブロックと、第３の係止ブロックとは係止ギアーのいくつかの係止溝と配合され、さらに、第１の係止部および第２の係止部は弾性を有するので、ランプヘッド部を１８０度のうちのいずれか角度に回転させることができるとともに、ランプヘッド部を１８０度のうちのいずれか角度に安定的に位置決めることができる。
３、灯具の取っ手部を９０度のうちのいずれか角度に安定的に位置決めることができるため、ランプヘッド部を１８０度のうちのいずれか角度に安定的に位置決めることができ、そこで、該灯具は、卓上灯として用いることもでき、携帯電灯として用いることもできることは言うまでもない。
【考案を実施するための最良の形態】
【０００６】
図１から図２を参照して、本発明の実施形態を説明する。引上げ式携帯電灯は、本体部１と、取っ手部２と、ランプヘッド部３と備える。
【０００７】
本体部１は、左ケース１１と、右ケース１２と、トップケース１３とを備える。左ケース１１と、右ケース１２と、トップケース１３とを一体に組合せて一つの内部中空のケースを形成する。
【０００８】
本体部１の中空ケースには、充電回路と、エネルギー貯蔵部材と、放電回路等の各種類の機械部品および電子素子が取り付けられる。右ケース１２の外部には、手揺発電用のロッキング装置１４が設けられる。
【０００９】
上記充電回路は手回しによる充電、１２V自動車用バッテリまたは直流アダプタによる充電の両部分の回路からなる。どんな電源もない特別な環境において、手揺充電方式を採用することにより、応急的なニーズに満足することができる。普通の場合には、自動車用バッテリの充電方式を採用することができる。或いは、＋１２.６Ｖ電源アダプタがある場合には、普通の都市電力による電源によって充電することもできる。
【００１０】
上記放電回路は、照明用と携帯電話充電用の両部分の回路からなる。そのうち、主要な機能は照明であり、携帯電話への充電は補助的な機能である。
【００１１】
上記の充電、エネルギー貯蔵、放電等の回路機能については説明を省略する。
【００１２】
取っ手部２は、本体部１に回転可能に実装され、右取っ手ケース２１と、左取っ手ケース２２と、取っ手回転位置決め手段（図示せず）とを備える。左取っ手ケース２１と右取っ手ケース２２は一体に組合わせて取っ手になる。
【００１３】
取っ手回転位置決め手段は、右取っ手ケース２１の末端に設けられた第１の円盤２３１と、第１の円盤２３１に対応して左取っ手ケース２２の末端に設けられた第２の円盤２３２と、第１のグレード板２３３と、第２の円盤２３２に対応して左ケース１１の末端の上部に設けられた第３の円盤２３４と、ばね２３５と、固定手段とを備える。
【００１４】
第１の円盤２３１の中央部には第１の穿孔２３１２が開設される。
第２の円盤２３２には、第１の円盤２３１の第１の穿孔２３１２に対応して第２の穿孔２３２２が開設される。第２の穿孔２３２２の周囲にはスリーブ２３２４が突設される。第２の円盤２３２において、スリーブ２３２４の周囲には間隔をおいていくつかの凸筋２３２６が設けられ、当該いくつかの凸筋２３２６との間にはいくつかの凹溝２３２８が形成される。
【００１５】
第１のグレード板２３３は円筒状であり、底板２３３２を備え、該底板２３３２の中央部には第２の円盤２３２のスリーブ２３２４に対応して第１の貫通穴２３３４が開設される。底板２３３２において、第２の円盤２３２の凹溝２３２８に対応して右側にいくつかの第１の係止ブロック２３３６が突設される。実装の際に、第１のグレード板２３３は第２の円盤２３２に実装され、スリーブ２３２４は第１の貫通穴２３３４の中を挿して伸び、当該いくつかの第１の係止ブロック２３３６は当該いくつかの凹溝２３２８に対応して挟まれる。
【００１６】
第３の円盤２３４は、スリーブ２３２４に対応して第２の貫通穴２３４２を設ける。第３の円盤２３４と第２の円盤２３２とは組み合わせ、その内部に第１のグレード板２３３を封止させる。
【００１７】
ばね２３５の一端は第３の円盤２３４に当接され、他端は第１のグレード板２３３の底板２３３２に当接され、当該いくつかの第１の係止ブロック２３３６が凹溝２３２８に対応して挟まれるように、第１のグレード板２３３を右側へ付勢させる。
【００１８】
固定手段（図示せず）はリベット柱２３６２と、リベット釘２３６４とを備える。実装の際に、リベット柱２３６２は、第１の穿孔２３１２と、第２の穿孔２３２２と、スリーブ２３２４と、第１の貫通穴２３３４と、ばね２３５とを通した後に、リベット釘２３６４で第３の円盤２３４の第２の貫通穴２３４２を通して、リベット柱２３６２にリベッティングされることにより、右取っ手ケース２１と左取っ手ケース２２は本体部１に接続され、第１のグレード板２３３とばね２３５は、第３の円盤２３４と第２の円盤２３２との間に封止される。
【００１９】
第２の円盤２３２は、取っ手部２を引っ張ることに伴って回転され、凸筋２３２６は第１のグレード板２３３の第１の係止ブロック２３３６を抑圧して、第１のグレード板２３３を左側へ一定距?に返させ、第１の係止ブロック２３３６が凹溝２３２８から退出済むまで回転し続き、第１の係止ブロック２３３６は他方の凹溝２３２８と会うことになり、第１のグレード板２３３は、ばね２３５の付勢力により、第１の係止ブロック２３３６を他方の凹溝２３２８に挟まれるように右方へ動かす。この時に、取っ手を引っ張り続かないと、取っ手部２はその新たに到達した位置に安定的に位置決められて動かない。以上のことから、取っ手部２は９０度のうちのいずれか角度に安定的に位置決められて動かないことが分かる。
【００２０】
ランプヘッド部３は、ランプヘッド台３１と、ランプヘッド回転位置決め手段（図示せず）とを備える。
【００２１】
ランプヘッド台３１はヘルメット状の半包囲形の台体であり、左取っ手ケース２２と右取っ手ケース２１の先端の間で回転可能に実装される。
【００２２】
ランプヘッド回転位置決め手段は、ランプヘッド台３１の側壁において対向する位置に開設された二つの第３の貫通穴３２１と、右取っ手ケース２１の先端に設けられた枢支軸３２２と、左取っ手ケース２２の先端に設けられたグレードギアー３２３と、第２のグレード板３２４とを備える。
【００２３】
枢支軸３２２は、右取っ手ケース２１の先端から左側に突設されてなり、枢支軸３２２の先端にはリング状の凹溝３２２２が開設され、左右取っ手ケースはいずれもこのリング状の凹溝を設け、ランプヘッドフレーム１５を装入する場合に、二つの係止爪が当該二つの凹溝に挿入れて引き出されることを防止する。枢支軸３２２は、ランプヘッド台３１の右側の第３の貫通穴３２１からランプヘッド台３１の内部に伸び入れて、ランプヘッドフレーム１５はリング状の凹溝３２２２と接続され、ランプヘッド台３１を右取っ手ケース２１に枢支させる。
【００２４】
係止ギアー３２３は、左取っ手ケース２２の先端から右側へ突設されてなり、係止ギアー３２３の側壁にはいくつかのロック歯３２３２が突設され、当該いくつかのロック歯３２３２の間にはいくつかの係止溝３２３４が形成される。
【００２５】
第２のグレード板３２４は、ランプヘッド台３１の左側の第３の貫通穴３２１の近傍に固定的に実装され、この第２のグレード板３２４は、底部３２４１と、上部３２４２と、第１の係止部３２４３と、第２の係止部３２４４とを備える。
【００２６】
底部３２４１と上部３２４２は、ランプヘッド台３１の左側の第３の貫通穴３２１の下方と上方にそれぞれ固定され、第２のグレード板３２４は、ランプヘッド台３１の内部に固定的に実装される。
【００２７】
第１の係止部３２４３はW形の弾性体であり、その上下両端は底部３２４１と上部３２４２の同一側の端部の間にそれぞれ接続され、第１の係止部３２４３の中部には内に向かって第２の係止ブロック３２４５が突設される。
【００２８】
第２の係止部３２４４はW形の弾性体であり、その上下両端は底部３２４１と上部３２４２の他方の端部の間にそれぞれ接続され、第２の係止部３２４４の中部には内に向かって第３の係止ブロック３２４６が突設される。第３の係止ブロック３２４６と第２の係止ブロック３２４５の位置は互いに対称している。
【００２９】
係止ギアー３２３は、ランプヘッド台３１の左側の第３の貫通穴３２１を通した後に、第２のグレード板３２４の第１の係止部３２４３と第２の係止部３２４４との間に挟まれ、第２の係止ブロック３２４５および第３の係止ブロック３２４６は、係止ギアー３２３の対向する両側にそれぞれ係止され、且つ、対応する係止溝３２３４にそれぞれ挟まれる。
【００３０】
右取っ手ケース２１の枢支軸３２２はランプヘッド台３１の右側の第３の貫通穴３２１に挿入れるとともに回転可能に内部の相応する部材を接続し、左取っ手ケース２２の係止ギアー３２３はランプヘッド台３１の左側の第３の貫通穴３２１に挿入れるとともに第２のグレード板３２４と安定的に挟まれるため、ランプヘッド台３１は、左取っ手ケース２２と右取っ手ケース２１の先端の間に回転可能に実装される。
【００３１】
第２のグレード板３２４は、ランプヘッド台３１を引っ張ることに伴って回転され、第２の係止ブロック３２４５および第３の係止ブロック３２４６はロック歯３２３２からの圧力を受け、従って、第１の係止部３２４３および第２の係止部３２４４はいずれも外部へ一定距離に移動され、第２の係止ブロック３２４５および第３の係止ブロック３２４６がいずれも係止溝３２３４から退出済むまで回転し続き、第２の係止ブロック３２４５および第３の係止ブロック３２４６が他方の係止溝３２３４に会った場合に、第１の係止部３２４３および第２の係止部３２４４の弾性回復力は、第２の係止ブロック３２４５および第３の係止ブロック３２４６を内に向かって付勢させ、第２の係止ブロック３２４５および第３の係止ブロック３２４６を内に向かって動かせて他方の係止溝３２３４に対応して挟ませる。この時に、ランプヘッド台３１を引っ張り続かないと、ランプヘッド部３はその新たに到達した位置に安定的に位置決められて動かない。以上のことから、ランプヘッド部３は１８０度のうちのいずれか角度に安定的に位置決められて動かないことが分かる。
【００３２】
この灯具の取っ手部２を９０度のうちのいずれか角度に安定的に位置決めることができ、ランプヘッド部３を１８０度のうちのいずれか角度に安定的に位置決めることができるため、この灯具は、卓上灯として用いることもでき、携帯電灯として用いることもできることは言うまでもない。
【００３３】
本考案によれば、以下のような利点がある。
１、取っ手部は、取っ手部２の固定手段のリベット柱２３６２とリベット釘２３６４との配合によって本体部１に取り付けられ、ばね２３５は、当該いくつかの第１の係止ブロック２３３６が凹溝２３２８に対応して挟まれるように、第１のグレード板２３３を右側へ付勢させ、第２の円盤２３２のいくつかの凹溝２３２８と第１のグレード板２３３のいくつかの第１の係止ブロック２３３６とが配合され、取っ手部２を９０度のうちのいずれか角度に回転させることができるとともに、取っ手部２を９０度のうちのいずれか角度に安定的に位置決めることができる。
２、ランプヘッド部３の枢支軸３２２および係止ギアー３２３は、ランプヘッド台３１の両側における第３の貫通穴３２１に挿入れて固定的に接続されるため、ランプヘッド部３は、左取っ手ケース２２と右取っ手ケース２１との間に取り付けられ、第２のグレード板３２４はランプヘッド台３１内に固定され、その第１の係止部３２４３と、第２の係止部３２４４の第２の係止ブロック３２４５と、第３の係止ブロック３２４６とは、係止ギアー３２３のいくつかの係止溝３２３４と配合され、さらに、第１の係止部３２４３および第２の係止部３２４４は弾性を有するので、ランプヘッド部３を１８０度のうちのいずれか角度に回転させることができるとともに、ランプヘッド部３を１８０度のうちのいずれか角度に安定的に位置決めることができる。
３、灯具の取っ手部２を９０度のうちのいずれか角度に安定的に位置決めることができ、ランプヘッド部３を１８０度のうちのいずれか角度に安定的に位置決めることができるため、該灯具は、卓上灯として用いることもでき、携帯電灯として用いることもできることは言うまでもない。
【００３４】
総じて、本考案の灯具は、携帯電灯の取っ手部とランプヘッド部が回転可能または回転した後に安定的に位置決められ、携帯電灯として用いることができるとともに、卓上灯として用いることができる。
【図面の簡単な説明】
【００３５】
【図１】本考案の実施形態による引上げ式携帯電灯の分解図である。
【図２】本考案の実施形態による引上げ式携帯電灯の取っ手部とランプヘッド部の分解図である。
【符号の説明】
【００３６】
１：本体部、１１：左ケース、１２：右ケース、１３：トップケース、１４：ロッキング装置、２：取っ手部、２１：右取っ手ケース、２２：左取っ手ケース、２３１：第１の円盤、２３２：第２の円盤、２３３：第１のグレード板、２３４：第３の円盤、２３５：ばね、２３１２：第１の穿孔、２３２２：第２の穿孔、２３２４：スリーブ、２３２６：凸筋、２３２８：凹溝、２３３２：底板、２３３４：第１の貫通穴、２３３６：第１の係止ブロック、２３４２：第２の貫通穴、２３６２：リベット柱、２３６４：リベット釘、３：ランプヘッド部、３１：ランプヘッド台、３２１：第３の貫通穴、３２２：枢支軸、３２３：グレードギアー、３２４：第２のグレード板、３２２２：凹溝
【図１】
0003134074.tif 000003
【図２】
0003134074.tif 000004